(57)【要約】【課題】プロンプター装置は、主にテレビ放送局で、ニュースキャスター、出演者等を撮影する大型ビデオカメラの前に原稿画像を表示し、大型ビデオカメラのレンズから目線を外すことなく、原稿を読むことが出来る装置である。ところが、企業、学校、ケーブルテレビ局等で多く使用される約２ｋｇ以下の小型ビデオカメラにプロンプター装置を使用する場合は、テレビ放送局などで使用されている大型ビデオカメラ用を使用することになり、取付け方法、重量バランス等多くの問題点がある。【解決手段】本発明は、プロンプター装置に小型ビデオカメラ用金具を取付け、容易に小型ビデオカメラを取付けることが出来るとともに、取付け金具を交換することにより、大型ビデオカメラにも対応出来る。また小型ビデオカメラ取付け時はプロンプター装置本体を三脚に固定することにより、パンニング等のカメラワークが可能になる。【選択図】        図１
2004336365.tif 000002
【特許請求の範囲】
【請求項１】
放送原稿画像等を表示するプロンプター装置において、プロンプター装置本体に約２ｋｇ以下の小型ビデオカメラの取付けが容易に出来ることを特徴とするプロンプター装置。
【請求項２】
請求項１のプロンプター装置は、三脚に取付けることが可能であることを特徴とするプロンプター装置。
【請求項３】
請求項１の小型ビデオカメラ取付金具は、上下位置及び前後位置の調整が可能であることを特徴とするプロンプター装置。
【請求項４】
請求項１の小型ビデオカメラ取付金具は、大型ビデオカメラ取付金具に交換することにより、小型ビデオカメラと大型ビデオカメラの両方に対応出来ることを特徴とするプロンプター装置。
【発明の詳細な説明】
【０００１】
【発明が属する技術分野】
本発明は、ビデオカメラの前でニュースキャスター、出演者等に原稿画像等を表示するプロンプター装置に関する。
【０００２】
【従来の技術】
プロンプター装置は、主にテレビ放送局で、ニュースキャスター、出演者等を撮影する大型ビデオカメラの前に原稿画像等を表示し、ニュースキャスター、出演者等は大型ビデオカメラのレンズから目線を外すことなく、原稿を読むことが出来る装置である。
【０００３】
プロンプター装置は、液晶モニター等の画像表示装置とハーフミラーで構成されており、原稿撮影用カメラ等の映像信号を画像表示装置に表示し、大型ビデオカメラのレンズの前に設置したハーフミラーに映る原稿画像等をニュースキャスター、出演者等が見ることが出来る装置である。ハーフミラーに映った原稿画像等は大型ビデオカメラの撮影画像に影響をあたえることなく使用出来る。
【０００４】
【発明が解決しようとする課題】
ところが、企業、学校、ケーブルテレビ局等で多く使用される約２ｋｇ以下の小型ビデオカメラにプロンプター装置を使用する場合は、テレビ放送局などで使用している大型ビデオカメラ用を使用することになり、小型ビデオカメラの取付け方法、重量バランス等多くの問題点がある。
【０００５】
本発明は上述した従来技術の問題点に鑑みてなされたもので、プロンプター装置に容易に小型ビデオカメラを取付けることが出来るプロンプター装置を提供することを目的としている。
【０００６】
【課題を解決するための手段】
本発明は、前記目的を達成するために、プロンプター装置のビデオカメラ取付け金具を交換出来るようにし、小型ビデオカメラ用取付け金具に交換することにより小型ビデオカメラの取付けが容易であることが特徴である。
【０００７】
本発明によれば、小型ビデオカメラは軽量なため、取付け後の全体の重心はプロンプター装置の中心部分になり、三脚に固定することが可能である。この事によりパンニング等カメラワークが容易に出来ることが特徴である。
【０００８】
また、本発明によれば、小型ビデオカメラ取付け金具の上下位置及び前後位置の調整が可能なため、小型ビデオカメラのレンズとハーフミラーの位置調整が可能になるので、光軸調整が容易になることが特徴である。
【０００９】
また、本発明によれば、小型ビデオカメラ取付け金具は、大型ビデオカメラ取付金具に交換することにより、小型ビデオカメラと大型ビデオカメラの両方に対応出来ることが特徴である。
【００１０】
【発明の実施の形態】
以下に本発明の実施の形態を添付図面に従って詳細に説明する。図１は、本発明の実施の形態に係るプロンプター装置本体１の側面図である。プロンプター装置本体１は、レンズ挿入開口部４とプロンプター装置前面開口部５を開口した箱型に形成されており、原稿画像表示装置である液晶モニター装置２を底部に取付け、その上方にハーフミラー３を４５°に傾斜して取付けた構成である。
【００１１】
液晶モニター装置２に原稿撮影用ビデオカメラ等のビデオ映像信号を入力し、ニュース原稿等の原稿画像を表示する。液晶モニター２に表示された画像はハーフミラー３によって図１の左側へ反射される。ニュースキャスター、出演者等はハーフミラー３に映った原稿画像を見ることが出来る。ハーフミラー３の特性により原稿画像はビデオカメラ７の撮影画像に影響をあたえることはない。
【００１２】
小型ビデオカメラ７を使用時は、プロンプター装置本体１を三脚に固定して使用する。プロンプター装置本体１には、三脚取付け部６に複数の三脚取付け用ネジ穴があり、重量バランスの最も適したネジ穴を使用し、三脚に固定する。したがって、三脚を操作することによりパンニング等のカメラワークが可能になる。
【００１３】
小型ビデオカメラ７を使用時は、小型ビデオカメラ取付け用金具８をプロンプター装置本体１の後部に取付け、小型ビデオカメラ取付け部９にネジ止めにて固定する。小型ビデオカメラ取付け用金具８は、上下位置調整ネジ１１及び前後位置調整用ネジ１２により位置調整が可能なため、小型ビデオカメラのレンズ位置をハーフミラーに映った液晶モニター装置の画像の中央にくるように位置調整が出来る。
【００１４】
図２の大型ビデオカメラ１３を使用時は、図１の小型ビデオカメラ取付け用金具８を図２の大型ビデオカメラ取付け用金具１４に交換して使用する。
【００１５】
上記の構成により、図１の小型ビデオカメラ７は容易に取付ける事が出来、ハーフミラー３を通過したニュースキャスター、出演者等の画像を撮影し記録することが出来る。液晶モニター装置２に表示された原稿画像はハーフミラー３を反射してニュースキャスター、出演者等側からのみ見ることが出来、小型ビデオカメラ７の撮影画像に影響をあたえることはない。
【００１６】
【発明の効果】
本発明は以上に説明したような構成により次のような効果を奏する。請求項１に記載されている発明は、放送原稿画像等を表示するプロンプター装置において、プロンプター装置本体に約２ｋｇ以下の小型ビデオカメラの取付けが容易に出来ることを特徴とするプロンプター装置なので、企業、学校、ケーブルテレビ局等で多く使用される小型ビデオカメラにプロンプター装置を使用出来易くなる。請求項２に記載されている発明は、プロンプター装置は三脚に取付けることが可能であることを特徴とするプロンプター装置なので、パンニング等のカメラワークが可能になる。請求項３に記載されている発明は、プロンプター装置の小型ビデオカメラ取付け金具は上下位置及び前後位置の調整が可能であることを特徴とするプロンプター装置なので、多くの小型ビデオカメラの機種に対応出来る。請求項４に記載されている発明は、小型ビデオカメラ取付け金具は、大型ビデオカメラ取付け金具に交換することにより、小型ビデオカメラと大型ビデオカメラの両方に対応出来ることを特徴とするプロンプター装置なので、ビデオカメラ取付け金具の交換により小型ビデオカメラ及び大型ビデオカメラの両方に対応出来る。
【図面の簡単な説明】
【図１】プロンプター装置に小型ビデオカメラを取付けた状態の側面図である。
【図２】プロンプター装置に大型テレビカメラを取付けた状態の側面図である。
【符号の説明】
１    プロンプター装置本体
２    液晶モニター装置
３    ハーフミラー
４    レンズ挿入開口部
５    プロンプター装置前面開口部
６    三脚取付け部
７    小型ビデオカメラ
８    小型ビデオカメラ取付け用金具
９    小型ビデオカメラ取付け部
１０  遮光用布製カバー
１１  上下位置調整用ネジ
１２  前後位置調整用ネジ
１３  大型ビデオカメラ
１４  大型テレビカメラ取付け用金具
【図１】
2004336365.tif 000003
【図２】
2004336365.tif 000004